(57)【要約】【課題】意匠パネルを交換可能な遠隔操作装置において、意匠パネルに対応するように各部の動作を間違いなく切り替えることができるようにする。【解決手段】表示部２により設定内容を表示して、操作部３によりユーザーによる操作を受け付け、操作対象に制御信号を出力する遠隔操作装置１において、板形状による本体部１０に、表示部２、操作検出部５１、制御部５３とを備える。本体部１０の表側面に意匠パネル１１が配置され、意匠パネル１１は、意匠パネル１１の識別情報を設定したパネル識別領域ＡＲを備え、本体部１０は、パネル識別領域ＡＲから識別情報を取得する識別情報取得部５２を備える。【選択図】図２
2020102698.tif 000002
【特許請求の範囲】
【請求項１】
表示部により設定内容を表示して、操作部によりユーザーによる操作を受け付け、操作対象に制御信号を出力する遠隔操作装置において、
板形状による本体部に、前記表示部、前記操作部に係る前記ユーザーの操作を検出する操作検出部、前記操作検出部の検出結果に基いて前記表示部の表示を制御すると共に前記制御信号を出力する制御部とを備え、
前記本体部の表側面に意匠パネルが配置され、
前記意匠パネルは、
前記意匠パネルの識別情報を設定したパネル識別領域を備え、
前記本体部は、
前記パネル識別領域から前記識別情報を取得する識別情報取得部を備える
遠隔操作装置。
【請求項２】
前記意匠パネルは、
前記遠隔操作装置を装飾する印刷面を備えた印刷シートと、
前記印刷シートの前記本体部側に配置されて、光源からの照明光を内部伝搬して前記印刷シートを前記本体部より照明する導光部材とを備え、
前記パネル識別領域には、
前記導光部材の内部伝搬光を前記本体部に向けて出射する照明光出射部が、前記意匠パネルに応じた配置により形成されて前記識別情報が設定され、
前記識別情報取得部は、
前記照明光出射部から出射される照明光を受光部で受光して前記識別情報を取得する
請求項１に記載の遠隔操作装置。
【請求項３】
前記操作検出部は、
前記意匠パネルを介して前記ユーザーの指の接触箇所の座標を検出することにより、前記操作部に係る前記ユーザーの操作を検出し、
前記制御部は、
前記操作検出部で検出される座標を判定基準により判定して前記ユーザーによる操作を受け付ける
請求項１又は請求項２に記載の遠隔操作装置。
【請求項４】
前記操作検出部は、
前記意匠パネルを介して前記ユーザーの指の接触箇所の座標を検出することにより、前記操作部に係る前記ユーザーの操作を検出し、
前記制御部は、
前記操作検出部で検出される座標を判定基準により判定して前記ユーザーによる操作を受け付け
前記パネル識別領域には、
前記操作検出部により検出可能な識別部が、前記意匠パネルに応じた配置により形成されて前記識別情報が設定され、
前記識別情報取得部は、
前記パネル識別領域に対応する領域で、前記操作検出部により検出される座標を判定して前記識別情報を取得する
請求項１に記載の遠隔操作装置。
【請求項５】
前記制御部は、
前記識別情報に基いて、前記表示部の表示形態を設定する
請求項１、請求項２、請求項３、請求項４の何れかに記載の遠隔操作装置。
【請求項６】
前記制御部は、
前記識別情報に基いて、前記判定基準を設定する
請求項３又は請求項４に記載の遠隔操作装置。
【発明の詳細な説明】
【技術分野】
【０００１】
本発明は、遠隔操作装置に関し、例えばビル等において壁面に設置して空調を操作する遠隔操作装置に適用することができる。
【背景技術】
【０００２】
従来、ビル等においては、壁面に設置したいわゆるリモートコマンダーである遠隔操作装置により空調を遠隔操作している。このような遠隔操作装置は、薄板形状により形成され、画像表示パネルによる表示部により設定内容を表示して操作を受け付ける。
このような遠隔操作装置に関して、特許文献１には、意匠パネルを交換可能とする構成が開示されている。この特許文献１に開示の構成によれば、意匠パネルの交換により遠隔操作装置のデザインを種々に変更することができる。
【先行技術文献】
【特許文献】
【０００３】
【特許文献１】特開２０１８−３２９９２号公報
【発明の概要】
【発明が解決しようとする課題】
【０００４】
ところでこのような遠隔操作装置においては、意匠パネルの交換に対応するように表示部の表示を切り替えることができれば、一段とデザインを種々に変更することができ、便利であると考えられる。
しかしながらこのように構成する場合には、意匠パネルの交換に対応するように、各部の動作を間違い無く切り替えることが必要となる。
【０００５】
本発明は以上の点を考慮してなされたものであり、意匠パネルを交換可能な遠隔操作装置において、意匠パネルに対応するように各部の動作を間違いなく切り替えることができるようにすることを目的とする。
【課題を解決するための手段】
【０００６】
係る課題を解決するため、請求項１の発明は、
表示部により設定内容を表示して、操作部によりユーザーによる操作を受け付け、操作対象に制御信号を出力する遠隔操作装置において、
板形状による本体部に、前記表示部、前記操作部に係る前記ユーザーの操作を検出する操作検出部、前記操作検出部の検出結果に基いて前記表示部の表示を制御すると共に前記制御信号を出力する制御部とを備え、
前記本体部の表側面に意匠パネルが配置され、
前記意匠パネルは、
前記意匠パネルの識別情報を設定したパネル識別領域を備え、
前記本体部は、
前記パネル識別領域から前記識別情報を取得する識別情報取得部を備える。
【０００７】
請求項１の構成によれば、意匠パネルから取得した識別情報により意匠パネルに応じて各部の動作を自動で切り替えることができ、意匠パネルに対応するように各部の動作を間違いなく切り替えることができる。これにより例えば操作部における操作方法、表示部における表示内容を自動で切り替え、ユーザーの使い勝手を向上することができる。またさらに本体部を共通化して種々にデザインを変更することができ、機能の変更、機種の変更等に、柔軟に対応することができる。
【０００８】
請求項２の発明は、請求項１の構成において、
前記意匠パネルは、
前記遠隔操作装置を装飾する印刷面を備えた印刷シートと、
前記印刷シートの前記本体部側に配置されて、光源からの照明光を内部伝搬して前記印刷シートを前記本体側より照明する導光部材とを備え、
前記パネル識別領域には、
前記導光部材の内部伝搬光を前記本体部に向けて出射する照明光出射部が、前記意匠パネルに応じた配置により形成されて前記識別情報が設定され、
前記識別情報取得部は、
前記照明光出射部から出射される照明光を受光部で受光して前記識別情報を取得する。
【０００９】
請求項２の構成によれば、導光部材によるバックライトにより印刷シートを照明してデザイン性を向上する構成を有効に利用して識別情報を取得し、意匠パネルに対応するように各部の動作を間違いなく切り替えることができる。
【００１０】
請求項３の発明は、請求項１又は請求項２の構成において、
前記操作検出部は、
前記意匠パネルを介して前記ユーザーの指の接触箇所の座標を検出することにより、前記操作部に係る前記ユーザーの操作を検出し、
前記制御部は、
前記操作検出部で検出される座標を判定基準により判定して前記ユーザーによる操作を受け付ける。
【００１１】
請求項３の構成によれば、判定基準の設定により、タップ操作によりユーザーの操作を受け付けたり、直線状又は円弧形状の軌跡によるスライド操作によりユーザーの操作を受け付けたりすることができる。これにより操作の受付方法を種々に設定することができる。その結果、従来に比して一段と高い自由度により種々にデザインを変更することができ、さらには使い勝手を向上することができる。また機能の変更、機種の変更等に、柔軟に対応することができる。
【００１２】
請求項４の発明は、請求項１の構成において、
前記操作検出部は、
前記意匠パネルを介して前記ユーザーの指の接触箇所の座標を検出することにより、前記操作部に係る前記ユーザーの操作を検出し、
前記制御部は、
前記操作検出部で検出される座標を判定基準により判定して前記ユーザーによる操作を受け付け
前記パネル識別領域には、
前記操作検出部により検出可能な識別部が、前記意匠パネルに応じた配置により形成されて前記識別情報が設定され、
前記識別情報取得部は、
前記パネル識別領域に対応する領域で、前記操作検出部により検出される座標を判定して前記識別情報を取得する。
【００１３】
請求項４の構成によれば、判定基準の設定により、タップ操作によりユーザーの操作を受け付けたり、直線状又は円弧形状の軌跡によるスライド操作によりユーザーの操作を受け付けたりすることができる。これにより操作の受付方法を種々に設定することができる。その結果、従来に比して一段と高い自由度により種々にデザインを変更することができ、さらには使い勝手を向上することができる。また機能の変更、機種の変更等に、柔軟に対応することができる。
またこの操作の受付方法を種々に設定可能とする構成を有効に利用して、識別情報を取得するようにして、意匠パネルに対応するように各部の動作を間違いなく切り替えることができる。
【００１４】
請求項５の発明は、請求項１、請求項２、請求項３、請求項４の何れかの構成において、
前記制御部は、
前記識別情報に基いて、前記表示部の表示形態を設定する。
【００１５】
請求項５の構成によれば、意匠パネルに対応するように、間違いなく表示部の表示を設定することができる。
【００１６】
請求項６の発明は、請求項３又は請求項４の構成において、
前記制御部は、
前記識別情報に基いて、前記判定基準を設定する。
【００１７】
請求項６の構成によれば、意匠パネルに応じて、間違いなく操作部による操作の受付方法を設定することができる。
【発明の効果】
【００１８】
本発明の遠隔操作装置によれば、意匠パネルを交換可能な遠隔操作装置において、意匠パネルに対応するように各部の動作を間違いなく切り替えることができる。
【図面の簡単な説明】
【００１９】
【図１】本発明の第１実施形態に係る遠隔操作装置を示す平面図である。
【図２】図１の遠隔操作装置の構成を示す平面図である。
【図３】図１の遠隔操作装置の断面図である。
【図４】図１の遠隔操作装置のブロック図である。
【図５】意匠パネルに応じた表示の切替えの説明に供する平面図である。
【図６】本発明の第２実施形態に係る遠隔操作装置の構成を示す平面図である。
【図７】図６の遠隔操作装置のブロック図である。
【図８】意匠パネルと本体部との関係を示す図である。
【図９】他の例による意匠パネルと本体部との関係を示す図である。
【図１０】図８及び図９の例とは異なる例による意匠パネルと本体部との関係を示す図である。
【図１１】図８〜図１０の例とは異なる例による意匠パネルと本体部との関係を示す図である。
【発明を実施するための形態】
【００２０】
〔第１実施形態〕
図１は、本発明の第１実施形態に係る遠隔操作装置１を正面より見て示す平面図である。
遠隔操作装置１は、屋内の壁面等に設置して操作対象を遠隔操作するいわゆるリモートコマンダーであり、この実施形態では、この操作対象が空調設備であり、遠隔操作装置１により屋内の空調を操作する。
なお操作対象は、空調設備に限らず、給湯設備、セキュリティーシステム等、種々の構成に広く適用することができる。
【００２１】
遠隔操作装置１は、薄板形状により形成され、正面に、操作対象の設定内容等を表示する表示部２が設けられる。またこの表示部２の下方に、ユーザーによる操作を受け付ける操作部３が設けられ、この操作部３の操作により操作対象に制御信号を出力して操作対象の動作を切り替え、さらには表示部２の表示を切り替える。
【００２２】
操作部３には、押圧操作に係る操作子４Ａ、４Ｂ、４Ｃが設けられる。ここで操作子４Ａは、起動、停止の操作に係る操作子であり、操作子４Ｂ及び４Ｃは、それぞれ設定項目、設定内容等のアップダウンの操作に係る操作子である。
【００２３】
表示部２は、液晶表示パネル、有機ＥＬ（Ｅｌｅｃｔｒｏ  Ｌｕｍｉｎｅｓｃｅｎｃｅ）パネル等、種々の画像表示パネルの構成を広く適用することができる。表示部２は、フルカラー表示の構成が適用されるものの、実用上充分な場合には、白黒表示の構成を適用してもよい。
【００２４】
図２は、分解して遠隔操作装置１の構成を示す平面図である。
遠隔操作装置１は、薄板形状による本体部１０の表側面に意匠パネル１１が交換可能に配置されて形成される。
本体部１０は、本体ケース１５に表示部２、配線基板１７等を配置して形成される。
ここで意匠パネル１１の保持方法は、例えば特開２０１８−３２９９２号公報に開示の構成を適用する場合、さらには本体部１０に貼り付けて保持する場合等、種々の手法を適用することができる。
【００２５】
図３（Ａ）及び（Ｂ）は、図１の遠隔操作装置１をＡ−Ａ線及びＢ−Ｂ線によりそれぞれ切り取って示す断面図である。なお図３（Ａ）及び（Ｂ）において、意匠パネル１１の構造を分かりやすく示すため、その厚みを誇張して示している。
この遠隔操作装置１において、意匠パネル１１は、バックライト２１に印刷シート２２を積層し、さらに操作子４Ａ、４Ｂ、４Ｃに係る操作ボタン４ＡＡ、４ＢＡ、４ＣＡを上下方向に可動可能に配置して形成される。さらに意匠パネル１１は、本体部１０に設けられた表示部２を視認可能に開口１３が形成される。
ここで印刷シート２２は、この意匠パネル１１により遠隔操作装置１を装飾する印刷面を備えたシート材であり、例えばポリエステル、ポリカーボネート、塩化ビニール等による基材に印刷を施して形成される。
なお意匠パネル１１は、バックライト２１に直接印刷することで形成されてもよく、開口１３の代わりに透明樹脂やガラス等の透光性の部材で表示部２を視認可能に形成されていてもよい。
これにより遠隔操作装置１は、意匠パネル１１の交換により、種々にデザインを変更できるように構成される。
【００２６】
バックライト２１は、ポリカーボネート等の透明板材又は透明シート材による導光部材２４の背面（本体部１０側）に反射シート２５を配置して形成され、本体部１０からの照明光Ｌ１を導光部材２４に入射して内部伝搬しながら、印刷シート２２に向けて出射し、これにより印刷シート２２を背面より照明して、意匠パネル１１に設けられた操作ボタン４ＡＡ、４ＢＡ、４ＣＡを浮き出たせる。これにより遠隔操作装置１は、使い勝手を向上し、さらにはデザインを向上する。
反射シート２５は、導光部材２４から本体部１０側に漏れ出す照明光Ｌ１を反射して導光部材２４に再入射し、これにより照明光Ｌ１の利用効率を向上する。なおバックライト２１は、反射シート２５の代わりに導光部材２４に反射材を直接印刷や蒸着することで、照明光Ｌ１の反射構造が形成されてもよい。
【００２７】
本体部１０には、照明光Ｌ１を出射する発光ダイオード等による光源２７が設けられ、反射シート２５は、この光源２７からの照明光Ｌ１を導光部材２４に入射するための開口２８が光源２７に対向する部位に設けられる。
また操作ボタン４ＡＡ、４ＢＡ、４ＣＡの押圧操作を検出可能に、スイッチ２６Ａ、２６Ｂ、２６Ｃが設けられる
【００２８】
〔意匠パネルの識別〕
このように意匠パネル１１を交換可能に配置して、遠隔操作装置１は、この意匠パネル１１を本体部１０により識別可能に構成される。
このため遠隔操作装置１は、図１及び図２に示すように、意匠パネル１１に、意匠パネル１１の識別情報を設定したパネル識別領域ＡＲが設けられ、本体部１０に設けられた識別情報取得部５２（図３及び図４）によりこのパネル識別領域ＡＲから識別情報を取得する。
【００２９】
これにより遠隔操作装置１では、意匠パネル１１から取得した識別情報により意匠パネル１１に応じて各部の動作を自動で切り替えることができ、意匠パネル１１に対応するように各部の動作を間違いなく切り替えることができる。これにより表示部２における表示内容を自動で切り替え、ユーザーの使い勝手を向上することができる。またさらに本体部１０を共通化して意匠パネル１１の交換により種々にデザインを変更することができ、これにより機能の変更、機種の変更等に、柔軟に対応することができる。
【００３０】
具体的にこの実施形態において、パネル識別領域ＡＲは、縦長の長方形形状により形成され、この長方形形状の長手方向に分割されて、複数の小領域ＡＲＡ、ＡＲＢ、ＡＲＣが形成される。
この複数の小領域ＡＲＡ、ＡＲＢ、ＡＲＣには、導光部材２４の照明光Ｌ１を本体部１０に      向けて出射する照明光出射部３５Ｃが、意匠パネル１１に応じて設けられ、これによりパネル識別領域ＡＲには、この照明光出射部３５Ｃが意匠パネル１１に応じた配置により形成されて識別情報が記録される。
この意匠パネル１１においては、反射シート２５に開口を形成することにより、導光部材２４から漏出する照明光Ｌ１を局所的に本体部１０に向けて出射することにより、照明光出射部３５Ｃが形成される。なおこれにより図１の構成では、第３の小領域ＡＲＣに選択的に開口が形成されて、この第３の小領域ＡＲＣに照明光出射部３５Ｃが形成される。
なおこのような開口に代えて、反射シート２５の透過光を遮光する遮光部を選択的に設けるようにして、この遮光部を設けない小領域に照明光出射部を設定するようにして識別情報を設定するようにしてもよい。
また小領域ＡＲＡ、ＡＲＢ、ＡＲＣを分散した箇所に設けるようにして、パネル識別領域ＡＲを複数個所に分散させて形成するようにしてもよい。
【００３１】
本体部１０は、導光部材２４から漏れ出す照明光Ｌ１をそれぞれ受光する受光部３４Ａ、３４Ｂ、３４Ｃが複数設けられ、これら受光部３４Ａ、３４Ｂ、３４Ｃとこれら受光部３４Ａ、３４Ｂ、３４Ｃの受光結果を処理する処理回路とにより識別情報取得部５２が形成される。
すなわち意匠パネル１１では、第３の小領域ＡＲＣに照明光出射部３５Ｃが形成されていることにより、対応する受光部３４Ｃでは照明光Ｌ１を充分に受光できるのに対し、受光部３４Ａ、３４Ｂでは照明光Ｌ１を充分に受光することが困難になる。
これにより第１〜第３の受光部３４Ａ、３４Ｂ、３４Ｃの受光結果を２値識別すれば、３ビットの識別コードにより意匠パネル１１を識別することができ、何ら意匠パネル１１を配置していない場合を含めて、７種類の意匠パネル１１を識別することができる。
これにより遠隔操作装置１は、導光部材２４によるバックライトにより印刷シート２２を照明してデザイン性を向上する構成を有効に利用して、識別情報を取得し、意匠パネル１１に対応するように各部の動作を間違いなく切り替えることができる。
【００３２】
図４は、この遠隔操作装置１の構成を示すブロック図である。
この遠隔操作装置１において、操作検出部５１は、スイッチ２６Ａ、２６Ｂ、２６Ｃにより操作子４Ａ、４Ｂ、４Ｃの操作を検出して制御部５３に通知する。
【００３３】
識別情報取得部５２は、受光部３４Ａ、３４Ｂ、３４Ｃの受光結果を２値識別して、３ビットの識別コードにより識別情報を取得する。
【００３４】
制御部５３は、この遠隔操作装置１の動作を制御するコントローラであり、内蔵のメモリに保持した画像データＤ１により表示部２で設定内容等を表示する。また操作検出部５１の検出結果に基いて、操作対象に制御信号を出力し、さらに表示部２の表示を制御する。
制御部５３は、この表示部２の表示に供する画像データＤ１が、本体部１０に配置可能な意匠パネル１１に対応するように複数設けられ、識別情報取得部５２で取得される識別情報により、本体部１０に設けられた意匠パネル１１に対応する画像データＤ１により表示を形成する。
【００３５】
これにより遠隔操作装置１は、意匠パネル１１に対応するように、画像データＤ１により表示部２における表示形態を設定し、一段と種々にデザインを設定できるように構成され、さらにはユーザーの使い勝手を向上する。
【００３６】
すなわち図１との対比により図５に示すように、例えば、意匠パネル１１において、設定温度を示す目盛の表示Ｈが表示部２の外形に沿って設けられている場合、意匠パネル１１に設けられた目盛の表示Ｈに対応するように、設定温度を示す表示Ｋを表示部２で表示する。
これにより遠隔操作装置１では、意匠パネル１１に応じて設定温度を示す表示Ｋを表示部２で表示したり、さらには表示部２における設定温度等の表示を切り替えたりして、意匠パネル１１に応じて表示部２の表示形態を切り替える。
【００３７】
なおこのように目盛の表示Ｈに対応するように表示Ｋを設ける場合、目盛を意匠パネル１１側に設けた分だけ、表示部２における情報表示可能領域を拡大することができ、一段とデザインの自由度を向上し、さらにはユーザーの利便性を向上することができる。
【００３８】
以上の構成によれば、意匠パネルのパネル識別領域から識別情報を取得することにより、意匠パネルに応じて各部の動作を自動で切り替て、意匠パネルに対応するように各部の動作を間違いなく切り替えることができる。これによりユーザーの使い勝手を向上することができる。またさらに本体部を共通化して種々にデザインを変更することができ、機能の変更、機種の変更等に、柔軟に対応することができる。
【００３９】
より具体的に、バックライトに照明光出射部を意匠パネルに応じた配置により形成し、この照明光出射部から出射される照明光を受光部で受光して識別情報を取得することにより、バックライトにより印刷シートを照明してデザイン性を向上する構成を有効に利用して識別情報を取得し、意匠パネルに対応するように各部の動作を間違いなく切り替えることができる。
【００４０】
またこの識別情報に基いて、表示部２の表示形態を設定することにより、意匠パネルに対応するように、間違いなく表示部の表示を設定して、遠隔操作装置１のデザインを種々に設定することができる。
【００４１】
〔第２実施形態〕
図６は、図２との対比により本発明の第２実施形態に係る遠隔操作装置を示す平面図である。この図６の構成において、第１実施形態について上述した遠隔操作装置１と同一の構成は、対応する符号を付して示し、重複した説明は省略する。
この遠隔操作装置６１は、意匠パネル７１を本体部７０に配置して形成される。
【００４２】
意匠パネル７１は、印刷シートのみにより形成され、この印刷シートの印刷により、操作部３の操作を受け付ける操作位置の表示が設けられる。ここでこの図６の構成では、この表示が、タップ操作の操作位置を示す表示７２Ａ、７２Ｂ、７２Ｃである。なお表示７２Ａは、起動、停止の操作に係る操作位置を示す表示であり、表示７２Ｂ及び７２Ｃは、それぞれ設定項目、設定内容等のアップダウンの操作に係る操作位置を示す表示である。
【００４３】
本体部７０は、この意匠パネル７１の構成に対応して、スイッチ２６Ａ〜２６Ｃによる操作検出部５１（図４）に代えて、操作検出部７６が設けられる。
ここで操作検出部７６は、意匠パネル１１の操作部３に対応する部位へのユーザーによる指の接触を検出し、この接触箇所の座標を検出する構成である。具体的に、操作検出部７６は、例えば静電容量方式によるタッチパネルが、本体ケース１５の表側面、意匠パネル７１に密接するように配置され、検出感度、意匠パネル７１の厚みの選定により、意匠パネル７１上からの指の接触箇所、後述する識別部の位置を検出できるように構成される。
【００４４】
操作検出部７６は、この指の接触箇所を検出するタッチパネルが、表示７２Ａに対応する箇所より横方向に延出するように形成され、この延出した部位が識別情報を検出する識別情報検出領域ＡＲ２に割り当てられ、残りの領域がユーザーの操作を検出する操作検出領域ＡＲ１に割り当てられる。
【００４５】
意匠パネル７１は、この識別情報検出領域ＡＲ２と重なり合う部位に、パネル識別領域ＡＲが形成され、このパネル識別領域ＡＲを分割して、複数の小領域ＡＲＡ、ＡＲＢ、ＡＲＣが形成される。
この複数の小領域ＡＲＡ、ＡＲＢ、ＡＲＣには、操作検出部７６により検出可能な識別部７３Ｃが、意匠パネル７１に応じて配置され、これによりこの識別部７３Ｃが、意匠パネル７１に応じた配置により形成されて意匠パネル７１の識別情報が設定される。具体的に、識別部７３Ｃは、導電性のインクによる印刷、導電性を有するシールの貼付等により設けることができる。
【００４６】
図７は、この遠隔操作装置６１の構成を示すブロック図である。
この遠隔操作装置６１において、識別情報取得部８１は、操作検出部７６で検出される座標から、パネル識別領域ＡＲに対応する領域である識別情報検出領域ＡＲ２で検出される座標を取得し、この座標により識別部７３Ｃが配置されている小領域ＡＲＡ、ＡＲＢ、ＡＲＣを検出し、これにより意匠パネル７１の識別情報を取得する。
【００４７】
制御部８２は、この遠隔操作装置６１の動作を制御するコントローラであり、内蔵のメモリに保持した画像データＤ１により表示部２で設定内容を表示する。また操作検出部７６で検出される座標から操作検出領域ＡＲ１で検出される座標を取得し、この座標を判定データＤ２により判定してユーザーによる操作を受け付け、操作対象に制御信号を出力し、さらに表示部２の表示を制御する。
制御部８２は、この表示部２の表示に供する画像データＤ１、座標の判定に供する判定データＤ２が、本体部７０に配置可能な意匠パネル７１に対応するようにそれぞれ複数設けられ、識別情報取得部８１で取得される識別情報により、本体部７０に設けられた意匠パネル７１に対応する画像データＤ１、判定データＤ２を使用して表示部２の表示を形成すると共に、ユーザーによる操作を受け付ける。
【００４８】
これにより遠隔操作装置６１は、ユーザーによる指の接触箇所の座標を判定データＤ２による判定基準により判定して操作を受け付けるようにして、この判定基準の設定により、タップ操作によりユーザーの操作を受け付けたり、直線状又は円弧形状の軌跡によるスライド操作によりユーザーの操作を受け付けたりすることができ、操作の受付方法を種々に設定することができる。その結果、従来に比して一段と高い自由度により種々にデザインを変更することができ、さらには使い勝手を向上することができる。また機能の変更、機種の変更等に、柔軟に対応することができる。
【００４９】
またこれにより遠隔操作装置６１は、ユーザーによる操作を受け付ける操作部の構成を有効利用して意匠パネル７１の識別情報を取得するようにして、この識別情報により操作の受付方法と、表示部２の表示形態とを切り替え、一段と種々にデザインを変更できるように構成される。
【００５０】
すなわち図６の対比により図８に示すように、タップ操作の操作位置を示す表示７２Ａ、７２Ｂ、７２Ｃが設けられた意匠パネル１１については、この表示７２Ａ、７２Ｂ、７２Ｃに対応する箇所（この意匠パネル７１を本体部７０に配置した際に、この表示７２Ａ、７２Ｂ、７２Ｃと重なり合う箇所）にそれぞれ判定領域７６Ａ、７６Ｂ、７６Ｃを設定する。また操作検出部７６で検出される座標が何れの判定領域７６Ａ、７６Ｂ、７６Ｃに属するか判定し、これによりユーザーの操作を受け付ける。
【００５１】
またこの場合、操作位置を示す表示７２Ｂ、７２Ｃが、アップ、ダウンの操作に係る表示であることにより、表示部２において、設定温度を文字により表示し、これにより操作部３に設けられた表示７２Ａ〜７２Ｃとの対比により直感的に操作部３の操作を把握できるようにして、ユーザーの使い勝手を向上する。
【００５２】
これに対して図９に示すように、起動、停止の操作に係るスイッチの操作位置を示す表示７２Ｄと、設定温度の可変に係る直線形状の軌跡によるスライド操作位置の表示７２Ｅとが設けられた意匠パネル７１については、これらの表示７２Ｄ、７２Ｅに対応する箇所にそれぞれ判定領域７６Ｄ、７６Ｅを設定する。起動、停止の操作に係る表示７２Ｄに対応する判定領域７６Ｄについては、操作検出部７６で検出される座標がこの判定領域７６Ｄに属するか判定し、これによりユーザーの操作を受け付ける。またスライド操作位置の表示７２Ｅに対応する判定領域７６Ｅについては、操作検出部７６で検出される座標がこの判定領域７６Ｄの何れの箇所に属するか判定することにより、ユーザーによるスライド操作位置を判定し、これによりユーザーの操作を受け付ける。
【００５３】
またこの場合、スライド操作位置の表示７２Ｅに対応する表示２Ｅを表示部２で表示し、これにより直感的に操作部３の操作を把握できるようにして、ユーザーの使い勝手を向上する。またこの表示２Ｅに、設定温度を示す表示２Ｅ１を設けるようにし、これによっても一段と直感的に操作部３の操作を把握できるようにして、ユーザーの使い勝手を向上する。
【００５４】
これに対して図１０に示すように、起動、停止の操作に係るタップ操作の操作位置を示す表示７２Ｆと、設定温度の可変に係る円弧形状の軌跡によるスライド操作位置の表示７２Ｇとが設けられた意匠パネル７１については、これらの表示７２Ｆ、７２Ｇに対応する箇所にそれぞれ判定領域７６Ｆ、７６Ｇを設定する。起動、停止の操作に係る表示７２Ｆに対応する判定領域７６Ｆについては、操作検出部７６で検出される座標がこの判定領域７６Ｆに属するか判定し、これによりユーザーの操作を受け付ける。またスライド操作位置の表示７２Ｇに対応する判定領域７６Ｇについては、操作検出部７６で検出される座標がこの判定領域７６Ｇの何れの箇所に属するか判定することにより、ユーザーによるスライド操作位置を判定し、これによりユーザーの操作を受け付ける。
【００５５】
またこの場合、スライド操作位置の表示７２Ｇに対応する表示２Ｇを表示部２で表示し、これにより直感的に操作部３の操作を把握できるようにして、ユーザーの使い勝手を向上する。またこの表示２Ｇに、設定温度を示す表示２Ｇ１を設けるようにし、これによっても一段と直感的に操作部３の操作を把握できるようにして、ユーザーの使い勝手を向上する。
なお図９、図１０に示すように、スライド操作により操作を受け付ける場合には、意匠パネル１１に凸形状又は凹形状によるスライド操作をガイドするガイド部を設けるようにしてもよく、このようにすれば一段と使い勝手を向上することができる。また意匠パネル７１の表示７２Ｅ、７２Ｇ、対応する表示部２の表示２Ｅ、２Ｇに目盛等を設けて、操作の基準を把握できるようにしてもよく、このようにすれば一段と使い勝手を向上することができる。
【００５６】
また図８との対比により図１１に示すように、タップ操作の操作位置を示す表示７２Ａ、７２Ｂ、７２Ｃが設けられた意匠パネル７１において、設定温度を示す目盛の表示Ｈが表示部２の外形に沿って設けられている場合、同様にして判定領域７６Ａ、７６Ｂ、７６Ｃを設定してユーザーの操作を受け付けるようにして、意匠パネル１１に設けられた目盛の表示Ｈに対応するように、設定温度を示す表示Ｋを表示部２で表示する。
【００５７】
なお操作検出部７６による操作の受付は、これらに限らず、いわゆるピンチイン操作、ピンチアウト操作、フリック操作等により操作を受け付けるようにしてもよい。
【００５８】
この第２実施形態の構成によれば、判定基準の設定により、タップ操作によりユーザーの操作を受け付けたり、直線状又は円弧形状の軌跡によるスライド操作によりユーザーの操作を受け付けたりすることができる。これにより操作の受付方法を種々に設定することができる。その結果、従来に比して一段と高い自由度により種々にデザインを変更することができ、さらには使い勝手を向上することができる。また機能の変更、機種の変更等に、柔軟に対応することができる。
またこの操作の受付方法を種々に設定可能とする構成を有効に利用して、識別情報を取得して、意匠パネルに対応するように各部の動作を間違いなく切り替えることができる。
【００５９】
〔第３実施形態〕
この実施形態では、第１実施形態について上述した識別情報取得部の構成により識別情報を取得する。また第２実施形態について上述した操作検出部の構成により、ユーザーによる操作を受け付け、この操作の受付方法、表示部の表示を識別情報により切り換える。
【００６０】
この実施形態の構成のように、バックライトの構成を有効に利用して識別情報を取得するようにして、操作の受付方法、表示部の表示をこの識別情報により切り換えるようにしても、第２実施形態と同様の効果を得ることができる。
【００６１】
〔他の実施形態〕
以上、本発明の実施に好適な具体的な構成を詳述したが、本発明は、本発明の趣旨を逸脱しない範囲で、上述の実施形態の構成を種々に変更することができる。
【符号の説明】
【００６２】
１、６１  遠隔操作装置
２  表示部
３  操作部
４Ａ〜４Ｃ  操作子
４ＡＡ〜４ＣＡ  操作ボタン
１０、７０  本体部
１１、７１  意匠パネル
１３、２８  開口
１５  本体ケース
１７  配線基板
２１  バックライト
２２  印刷シート
２４  導光部材
２５  反射シート
２６Ａ〜２６Ｃ  スイッチ
２７  光源
３４Ａ〜３４Ｃ  受光部
３５Ｃ  照明光出射部
５１、７６  操作検出部
５２、８１  識別情報取得部
５３、８２  制御部
７３Ｃ  識別部
７６Ａ〜７６Ｇ  判定領域
ＡＲ  パネル識別領域
ＡＲ１  操作検出領域
ＡＲ２  識別情報検出領域
Ｄ１  画像データ
Ｄ２  判定データ
【図１】
2020102698.tif 000003
【図２】
2020102698.tif 000004
【図３】
2020102698.tif 000005
【図４】
2020102698.tif 000006
【図５】
2020102698.tif 000007
【図６】
2020102698.tif 000008
【図７】
2020102698.tif 000009
【図８】
2020102698.tif 000010
【図９】
2020102698.tif 000011
【図１０】
2020102698.tif 000012
【図１１】
2020102698.tif 000013